(57)【要約】【課題】危険度を事前に察知し、事件を未然に防止する。【解決手段】住宅への不審者侵入の危険度を判別するための危険度判別プログラムにおいて、住宅の外部を撮影した参照用画像情報と、住宅のロケーションを特定するための参照用ロケーション情報とを有する組み合わせと、当該組み合わせに対する危険度との３段階以上の連関度を予め取得する連関度取得ステップと、新たに危険度を判別する際に、新たに住宅の外部を撮影することにより画像情報を取得するとともに、その住宅のロケーションを示すロケーション情報を取得する情報取得ステップと、上記連関度取得ステップにおいて取得した連関度を参照し、上記情報取得ステップを介して取得した画像情報とロケーション情報とに基づき、上記住宅への不審者侵入の危険度を判別する判別ステップとをコンピュータに実行させる。【選択図】図４
2020129358.tif 000002
【特許請求の範囲】
【請求項１】
住宅への不審者侵入の危険度を判別するための危険度判別プログラムにおいて、
住宅の外部を撮影した参照用画像情報と、住宅のロケーションを特定するための参照用ロケーション情報とを有する組み合わせと、当該組み合わせに対する危険度との３段階以上の連関度を予め取得する連関度取得ステップと、
新たに危険度を判別する際に、新たに住宅の外部を撮影することにより画像情報を取得するとともに、その住宅のロケーションを示すロケーション情報を取得する情報取得ステップと、
上記連関度取得ステップにおいて取得した連関度を参照し、上記情報取得ステップを介して取得した画像情報とロケーション情報とに基づき、上記住宅への不審者侵入の危険度を判別する判別ステップとをコンピュータに実行させること
を特徴とする危険度判別プログラム。
【請求項２】
上記連関度取得ステップでは、更に上記参照用画像情報を解析することにより人物を抽出した参照用人物情報とを有する組み合わせと、当該組み合わせに対する危険度との３段階以上の連関度を予め取得し、
情報取得ステップでは、新たに危険度を判別する際に、住宅の外部を撮影することにより取得した画像情報を解析することにより人物を抽出した人物情報を更に取得し、
上記判別ステップでは、更に上記情報取得ステップを介して取得した人物情報に基づき、上記危険度を判別すること
を特徴とする請求項１記載の危険度判別プログラム。
【請求項３】
上記連関度取得ステップでは、更に上記参照用画像情報の撮影時に録音した参照用音声情報とを有する組み合わせと、当該組み合わせに対する危険度との３段階以上の連関度を予め取得し、
情報取得ステップでは、新たに危険度を判別する際に、住宅の外部を撮影すると同時に録音した音声情報を更に取得し、
上記判別ステップでは、更に上記情報取得ステップを介して取得した音声情報に基づき、上記危険度を判別すること
を特徴とする請求項１又は２項記載の危険度判別プログラム。
【請求項４】
上記連関度取得ステップでは、更に住宅が警備会社の警備サービスの契約状況を示す参照用警備サービス情報とを有する組み合わせと、当該組み合わせに対する危険度との３段階以上の連関度を予め取得し、
情報取得ステップでは、新たに危険度を判別する際に、その住宅における警備サービスの契約状況を示す警備サービス情報を更に取得し、
上記判別ステップでは、更に上記警備サービス情報に基づき、上記危険度を判別すること
を特徴とする請求項１〜３のうち何れか１項記載の危険度判別プログラム。
【請求項５】
上記連関度取得ステップでは、その住宅に関する構造情報を含む参照用住宅構造情報との上記組み合わせと、当該組み合わせに対する危険度との３段階以上の連関度を予め取得し、
情報取得ステップでは、新たに危険度を判別する際に、その住宅における住宅構造情報を取得し、
上記判別ステップでは、更に上記情報取得ステップを介して取得した住宅構造情報とに基づき、上記住宅への不審者侵入の危険度を判別すること
を特徴とする請求項１〜４のうち何れか１項記載の危険度判別プログラム。
【請求項６】
上記連関度取得ステップでは、当該住宅の居住者の在宅パターンを示す参照用在宅パターン情報との上記組み合わせと、当該組み合わせに対する危険度との３段階以上の連関度を予め取得し、
情報取得ステップでは、新たに危険度を判別する際に、その住宅の在宅パターンを示す在宅パターン情報を取得し、
上記判別ステップでは、更に上記情報取得ステップを介して取得した在宅パターン情報とに基づき、上記住宅への不審者侵入の危険度を判別すること
を特徴とする請求項１〜５のうち何れか１項記載の危険度判別プログラム。
【請求項７】
上記連関度取得ステップでは、当該参照用画像情報の撮影時点における時間帯を示す参照用時間帯情報との上記組み合わせと、当該組み合わせに対する危険度との３段階以上の連関度を予め取得し、
情報取得ステップでは、新たに危険度を判別する際に、当該撮影時点の時間帯における時間帯情報を取得し、
上記判別ステップでは、上記情報取得ステップを介して取得した時間帯情報とに基づき、上記住宅への不審者侵入の危険度を判別すること
を特徴とする請求項１〜６のうち何れか１項記載の危険度判別プログラム。
【請求項８】
上記連関度取得ステップでは、人工知能におけるニューラルネットワークのノードの各出力の重み付け係数に対応する上記連関度を利用すること
を特徴とする請求項１〜８のうち何れか１項記載の危険度判別プログラム。
【請求項９】
住宅への不審者侵入の危険度を判別するための危険度判別システムにおいて、
住宅の外部を撮影した参照用画像情報と、住宅のロケーションを特定するための参照用ロケーション情報とを有する組み合わせと、当該組み合わせに対する危険度との３段階以上の連関度を予め取得する連関度取得手段と、
新たに危険度を判別する際に、新たに住宅の外部を撮影することにより画像情報を取得するとともに、その住宅のロケーションを示すロケーション情報を取得する情報取得手段と、
上記連関度取得手段により取得された連関度を参照し、上記情報取得手段を介して取得した画像情報とロケーション情報とに基づき、上記住宅への不審者侵入の危険度を判別する判別手段とを備えること
を特徴とする危険度判別システム。
【発明の詳細な説明】
【技術分野】
【０００１】
本発明は、住宅への不審者侵入の危険度を判別するための危険度判別プログラム及びシステムに関する。
【背景技術】
【０００２】
従来より、住宅への不審者侵入を防止するための数々の試みが行われている。特に一戸建て住宅はマンションと比較して侵入経路が多々あるため、居住者の安全を守るためにより強固な不審者侵入への防止対策を施す必要がある。
【先行技術文献】
【特許文献】
【０００３】
【特許文献１】特願２０１６−２１０８４８公報
【発明の概要】
【発明が解決しようとする課題】
【０００４】
上述した特許文献１の開示技術では、人工知能により顔画像から人物を特定する技術が記載されているが、人工知能を活用して実際の住宅への不審者侵入の危険度を定量的に判断できるものではない。実際にその危険度を高精度に予測することにより、居住者に対して危険が迫っている場合にはいち早く警備会社や警察に連絡するとともに、実際にはそれほど危険度が高くない場合には、むやみに警備会社による警備員や警察官の出動を招かないようにする必要があった。このような観点は、引用文献１の開示技術には特段記載されていない。
【０００５】
そこで本発明は、上述した問題点に鑑みて案出されたものであり、その目的とするところは、住宅への不審者侵入の危険度を事前に察知し、居住者の安全を守るために、危険度を人工知能を利用して自動的に判別する危険度判別プログラム及びシステムを提供することにある。
【課題を解決するための手段】
【０００６】
本発明に係る危険度判別プログラムは、住宅への不審者侵入の危険度を判別するための危険度判別プログラムにおいて、住宅の外部を撮影した参照用画像情報と、住宅のロケーションを特定するための参照用ロケーション情報とを有する組み合わせと、当該組み合わせに対する危険度との３段階以上の連関度を予め取得する連関度取得ステップと、新たに危険度を判別する際に、新たに住宅の外部を撮影することにより画像情報を取得するとともに、その住宅のロケーションを示すロケーション情報を取得する情報取得ステップと、上記連関度取得ステップにおいて取得した連関度を参照し、上記情報取得ステップを介して取得した画像情報とロケーション情報とに基づき、上記住宅への不審者侵入の危険度を判別する判別ステップとをコンピュータに実行させることを特徴とする。
【０００７】
本発明に係る危険度判別システムは、住宅への不審者侵入の危険度を判別するための危険度判別システムにおいて、住宅の外部を撮影した参照用画像情報と、住宅のロケーションを特定するための参照用ロケーション情報とを有する組み合わせと、当該組み合わせに対する危険度との３段階以上の連関度を予め取得する連関度取得手段と、新たに危険度を判別する際に、新たに住宅の外部を撮影することにより画像情報を取得するとともに、その住宅のロケーションを示すロケーション情報を取得する情報取得手段と、上記連関度取得手段により取得された連関度を参照し、上記情報取得手段を介して取得した画像情報とロケーション情報とに基づき、上記住宅への不審者侵入の危険度を判別する判別手段とを備えることを特徴とする。
【発明の効果】
【０００８】
住宅への不審者侵入の危険度を事前に察知し、事件を未然に防止するために、危険度を人工知能を利用して自動的にかつ高精度に判別することができる。
【図面の簡単な説明】
【０００９】
【図１】本発明を適用した危険度判別プログラムが実装される危険度判別システムの全体構成を示すブロック図である。
【図２】判別装置の具体的な構成例を示す図である。
【図３】本発明を適用した危険度判別プログラムにおける動作について説明するための図である。
【図４】参照用ロケーション情報をも含めた３段階以上の連関度を設定した例を示す図である。
【図５】参照用在宅パターン情報をも含めた３段階以上の連関度を設定した例を示す図である。
【図６】参照用時間帯情報をも含めた３段階以上の連関度を設定した例を示す図である。
【図７】参照用人物情報をも含めた３段階以上の連関度を設定した例を示す図である。
【図８】参照用音声情報をも含めた３段階以上の連関度を設定した例を示す図である。
【図９】参照用警備サービス情報をも含めた３段階以上の連関度を設定した例を示す図である。
【発明を実施するための形態】
【００１０】
以下、本発明を適用した危険度判別プログラムについて、図面を参照しながら詳細に説明をする。
【００１１】
図１は、本発明を適用した危険度判別プログラムが実装される危険度判別システム１の全体構成を示すブロック図である。危険度判別システム１は、情報取得部９と、情報取得部９に接続された判別装置２と、判別装置２に接続されたデータベース３とを備えている。
【００１２】
情報取得部９は、本システムを活用する者が各種コマンドや情報を入力するためのデバイスであり、具体的にはキーボードやボタン、タッチパネル、マウス、スイッチ等により構成される。情報取得部９は、テキスト情報を入力するためのデバイスに限定されるものではなく、マイクロフォン等のような音声を検知してこれをテキスト情報に変換可能なデバイスで構成されていてもよい。また情報取得部９は、カメラ等の画像を撮影可能な撮像装置として構成されていてもよい。情報取得部９は、紙媒体の書類から文字列を認識できる機能を備えたスキャナで構成されていてもよい。また情報取得部９は、後述する判別装置２と一体化されていてもよい。情報取得部９は、検知した情報を判別装置２へと出力する。
【００１３】
データベース３は、住宅への不審者の侵入に関して以前発生した事件、或いは事件まで至らなかったものの、危険度が高かった事例等、住宅への不審者侵入の危険度に関する情報を蓄積している。データベース３は、実際に情報取得部９を構成するカメラにより以前撮像した参照用画像情報、その住宅に関する構造情報を含む参照用住宅構造情報、住宅のロケーションを特定するための参照用ロケーション情報、当該住宅の居住者の在宅パターンを示す参照用在宅パターン情報、当該参照用画像情報の撮影時点における時間帯を示す参照用時間帯情報、参照用画像情報を解析することにより人物を抽出した参照用人物情報、参照用画像情報の撮影時に録音した参照用音声情報、住宅が警備会社の警備サービスの契約状況を示す参照用警備サービス情報等が蓄積されている。
【００１４】
判別装置２は、例えば、パーソナルコンピュータ（ＰＣ）等を始めとした電子機器で構成されているが、ＰＣ以外に、携帯電話、スマートフォン、タブレット型端末、ウェアラブル端末等、他のあらゆる電子機器で具現化されるものであってもよい。ユーザは、この判別装置２による探索解を得ることにより、住宅への不審者の侵入における危険度を判別することができる。
【００１５】
図２は、判別装置２の具体的な構成例を示している。この判別装置２は、判別装置２全体を制御するための制御部２４と、操作ボタンやキーボード等を介して各種制御用の指令を入力するための操作部２５と、有線通信又は無線通信を行うための通信部２６と、各種判断を行う判断部２７と、ハードディスク等に代表され、実行すべき検索を行うためのプログラムを格納するための記憶部２８とが内部バス２１にそれぞれ接続されている。さらに、この内部バス２１には、実際に情報を表示するモニタとしての表示部２３が接続されている。
【００１６】
制御部２４は、内部バス２１を介して制御信号を送信することにより、判別装置２内に実装された各構成要素を制御するためのいわゆる中央制御ユニットである。また、この制御部２４は、操作部２５を介した操作に応じて各種制御用の指令を内部バス２１を介して伝達する。
【００１７】
操作部２５は、キーボードやタッチパネルにより具現化され、プログラムを実行するための実行命令がユーザから入力される。この操作部２５は、上記実行命令がユーザから入力された場合には、これを制御部２４に通知する。この通知を受けた制御部２４は、判断部２７を始め、各構成要素と協調させて所望の処理動作を実行していくこととなる。この操作部２５は、前述した情報取得部９として具現化されるものであってもよい。
【００１８】
判断部２７は、住宅への不審者の侵入の危険度に関する各種判断を担う。この判断部２７は、推定動作を実行するに当たり、必要な情報として記憶部２８に記憶されている各種情報や、データベース３に記憶されている各種情報を読み出す。この判断部２７は、人工知能により制御されるものであってもよい。この人工知能はいかなる周知の人工知能技術に基づくものであってもよい。
【００１９】
表示部２３は、制御部２４による制御に基づいて表示画像を作り出すグラフィックコントローラにより構成されている。この表示部２３は、例えば、液晶ディスプレイ（ＬＣＤ）等によって実現される。
【００２０】
記憶部２８は、ハードディスクで構成される場合において、制御部２４による制御に基づき、各アドレスに対して所定の情報が書き込まれるとともに、必要に応じてこれが読み出される。また、この記憶部２８には、本発明を実行するためのプログラムが格納されている。このプログラムは制御部２４により読み出されて実行されることになる。
【００２１】
上述した構成からなる危険度判別システム１における動作について説明をする。
【００２２】
危険度判別システム１では、例えば図３に示すように、参照用画像情報と、参照用住宅構造情報との組み合わせが形成されていることが前提となる。参照用画像情報とは、住宅、住宅の門、玄関、庭、外構、塀、柵、駐車スペース、通用口等に設置されたカメラで、その住宅の外部を撮影した画像であり、例えば、住宅の外部の道を通行人が通行している画像、住宅の居住者が門から住宅内に入っていく画像、更には、不審者が住宅の柵をよじ登って侵入しようとする画像等、様々である。
【００２３】
参照用住宅構造情報は、当該住宅の構造を示すデータであり、例えば空中から撮影した住宅全体の写真、道路側から撮影した住宅の写真、住宅の竣工図の電子データ、地図上において示される住宅全体の構造図等の電子データである。
【００２４】
図３の例では、例えば参照用画像情報が、住宅の外部を各場所ごとに、或いは各時系列毎に撮影した参照用画像情報Ｐ１１〜Ｐ１３、参照用住宅構造情報として、構造Ｆ〜構造Ｉ等であるものとする。
【００２５】
入力データとしては、このような参照用画像情報と、参照用住宅構造情報が並んでいる。このような入力データとしての、参照用画像情報に対して、参照用住宅構造情報が組み合わさったものが、図３に示す中間ノードである。各中間ノードは、更に出力に連結している。この出力においては、出力解としての、住宅への不審者侵入への危険度が、パーセンテージとして表示されている。
【００２６】
参照用画像情報と参照用住宅構造情報との各組み合わせ（中間ノード）は、この出力解としての危険度に対して３段階以上の連関度を通じて互いに連関しあっている。参照用画像情報と参照用住宅構造情報がこの連関度を介して左側に配列し、各危険度が連関度を介して右側に配列している。連関度は、左側に配列された参照用画像情報と参照用住宅構造情報に対して、何れの危険度と関連性が高いかの度合いを示すものである。換言すれば、この連関度は、各参照用画像情報と参照用住宅構造情報が、いかなる危険度に紐付けられる可能性が高いかを示す指標であり、参照用画像情報と参照用住宅構造情報から最も確からしい危険度を選択する上での的確性を示すものである。図３の例では、連関度としてｗ１３〜ｗ２２が示されている。このｗ１３〜ｗ２２は以下の表１に示すように１０段階で示されており、１０点に近いほど、中間ノードとしての各組み合わせが出力としての危険度と互いに関連度合いが高いことを示しており、逆に１点に近いほど中間ノードとしての各組み合わせが出力としての危険度と互いに関連度合いが低いことを示している。
【００２７】
【表１】
2020129358.tif 000003
【００２８】
判別装置２は、このような図３に示す３段階以上の連関度ｗ１３〜ｗ２２を予め取得しておく。つまり判別装置２は、実際の危険度の判別を行う上で、参照用画像情報と、参照用接近情報、並びにその場合の危険度がどの程度であったかのデータを蓄積しておき、これらを分析、解析することで図３に示す連関度を作り上げておく。
【００２９】
例えば、参照用画像情報Ｐ１１が住宅の居住者が門から住宅内に入っていく画像であるものとする。また、この判別対象の住宅の構造Ｆであるものとしたときに、以前のデータにおいて住宅の居住者に被害が及ぶような事件が起きたか否か、また事件に至らなくても事件が起きてもおかしくない程度の危険度であったか否か、或いは特に安全だったか否か等を抽出する。これらのデータは、参照用画像情報については過去のカメラの撮影した画像データの記録から得ることができ、また、参照用構造情報は、ハウスメーカーや役所に記録されている竣工図や地図データ、或いは空撮した画像や道路から以前撮像した住宅の画像データから抽出するようにしてもよい。危険度の数値化は、上記参照用画像情報を複数人で視認し、危険度に関するアンケート調査等を集計して求めるようにしてもよい。
【００３０】
この分析、解析は人工知能により行うようにしてもよい。かかる場合には、例えば参照用画像情報Ｐ１１で、かつ構造Ｆである場合に、実際に事件が起きたか否か、或いは事件には至らなかったものの危険性が高かったか否か等を過去のデータから分析する。事件が起きた事例や、事件につながる危険性が高いほど危険度の高い出力につながる連関度をより高く設定し、事件が起きた事例が少ないほど危険度の低い出力につながる連関度をより高く設定する。参照用画像情報Ｐ１１で、かつ構造Ｈである場合においてリンクする中間ノード６１ａの例では、危険度９０％と、危険度３０％の出力にリンクしているが、以前の事例から危険度が極めて高いケースであるため、危険度９０％につながるｗ１３の連関度を７点に、危険度３０％につながるｗ１４の連関度を２点に設定している。
【００３１】
また、この図３に示す連関度は、人工知能におけるニューラルネットワークのノードで構成されるものであってもよい。即ち、このニューラルネットワークのノードの出力に対する重み付け係数が、上述した連関度に対応することとなる。またニューラルネットワークに限らず、人工知能を構成するあらゆる意思決定因子で構成されるものであってもよい。
【００３２】
図３に示す連関度の例で、ノード６１ｂは、参照用画像情報Ｐ１１に対して、参照用住宅構造情報の構造Ｆの組み合わせのノードであり、危険度６０％の連関度がｗ１５、危険度０％の連関度がｗ１６となっている。ノード６１ｃは、参照用画像情報Ｐ１２に対して、参照用住宅構造情報の構造Ｇ（例えば庭の配置に関する構造情報）と、更に構造Ｉ（例えば、柵の配置に関する構造情報）の組み合わせのノードであり、危険度３０％の連関度がｗ１７、危険度７０％の連関度がｗ１８となっている。
【００３３】
このような連関度が、人工知能でいうところの学習済みデータとなる。このような学習済みデータを作った後に、実際にこれから新たに危険度を判別する際において、上述した学習済みデータを利用して危険度を判別することとなる。かかる場合には、画像情報を新たに取得するとともに、住宅構造情報を取得する。画像情報は参照用画像情報に対応し、住宅構造情報は、参照用住宅構造情報に対応する。
【００３４】
新たに取得する画像情報は、上述した情報取得部９によるカメラにより画像を撮影する。この撮影は、上述した参照用画像情報を得る上で撮影した住宅の外部の画像と同一である。また撮影条件は、上述した参照用画像情報を得る上での撮影条件（撮影角度、画角、解像度）が必ずしも全て同一であるところまでは要求されない。
【００３５】
住宅構造情報の取得は、危険度を判別しようとする住宅の住宅構造情報が記録されているデータベースにアクセスする。例えば、住宅構造情報が住所を通じて関連付けられてデータベースに記録されている場合には、住所を入力することで、その住所にリンクされている住宅構造情報を読み出すようにしてもよい。
【００３６】
このようにして新たに取得した画像情報と、電車の接近情報に基づいて、実際にその新たに画像情報を取得した時点における危険度を求める。かかる場合には、予め取得した図３（表１）に示す連関度を参照する。例えば、新たに取得した画像情報がＰ１２と同一かこれに類似するものである場合であって、取得した住宅構造情報が構造Ｉである場合には、連関度を介してノード６１ｄが関連付けられており、このノード６１ｄは、「危険度６０％」がｗ１９、「危険度７０％」が連関度ｗ２０で関連付けられている。かかる場合には、連関度の最も高い「危険度６０％」を最適解として選択する。但し、最も連関度の高いものを最適解として選択することは必須ではなく、連関度は低いものの連関性そのものは認められる「危険度７０％」を最適解として選択するようにしてもよい。また、これ以外に矢印が繋がっていない出力解を選択してもよいことは勿論であり、連関度に基づくものであれば、その他いかなる優先順位で選択されるものであってもよい。
このようにしてこれらの最適解の選択は、図３に示す学習済みモデルを利用し、実際に解を求めたい入力データ（画像情報、住宅構造情報）を入力すると出力解（危険度）が出力される人工知能を通じて実現することができる。しかし、本発明は人工知能を活用することは必須ではなく、参照用画像情報と、参照用住宅構造情報との組み合わせと、当該組み合わせに対する危険度との３段階以上の連関度を利用するものであればいかなる形態で実現されるものであってもよい。
【００３７】
また、入力から伸びている連関度ｗ１〜ｗ１２の例を以下の表２に示す。
【００３８】
【表２】
2020129358.tif 000004
【００３９】
この入力から伸びている連関度ｗ１〜ｗ１２に基づいて中間ノード６１が選択されていてもよい。つまり連関度ｗ１〜ｗ１２が大きいほど、中間ノード６１の選択における重みづけを重くしてもよい。しかし、この連関度ｗ１〜ｗ１２は何れも同じ値としてもよく、中間ノード６１の選択における重みづけは何れも全て同一とされていてもよい。
【００４０】
図４は、上述した参照用画像情報と、参照用ロケーション情報との組み合わせと、当該組み合わせに対する危険度との３段階以上の連関度が設定されている例を示している。
【００４１】
入力データとしては、このような参照用画像情報と、参照用ロケーション情報が並んでいる。このような入力データとしての、参照用画像情報に対して、参照用ロケーション情報が組み合わさったものが、図４に示す中間ノードである。
参照用ロケーション情報とは、その住宅のロケーションを特定するためのあらゆる情報が含まれる。参照用ロケーション情報としては、住所情報、地図情報以外に、その住宅を含めた周囲の環境を撮影した画像も含まれる。また住宅の隣地の建物の状況や、住宅の隣地が商店、ビル、飲食店、空き地、駐車場、学校等、いかなる用途に利用されているのかもこの参照用ロケーション情報に含まれる。つまり隣地が空き地であれば、その空き地から住宅内に侵入されやすいことも考えられることから、これについても危険度を支配する要因になる。
【００４２】
判別装置２は、このような図４に示す３段階以上の連関度ｗ１３〜ｗ２２を予め取得しておく。つまり判別装置２は、実際の危険度の判別を行う上で、参照用画像情報と、参照用ロケーション情報、並びにその場合の危険度がどの程度であったかのデータを蓄積しておき、これらを分析、解析することで図４に示す連関度を作り上げておく。
【００４３】
図４に示す連関度の例で、ノード６１ｂは、参照用画像情報Ｐ１１に対して、参照用ロケーション情報がロケーションＪの組み合わせのノードであり、危険度６０％の連関度がｗ１５、危険度０％の連関度がｗ１６となっている。
【００４４】
このような連関度が設定されている場合も同様に、画像情報を新たに取得するとともに、ロケーション情報を取得する。画像情報は参照用画像情報に対応し、ロケーション情報は、参照用ロケーション情報に対応する。
【００４５】
ロケーション情報の取得は、危険度を判別しようとする住宅の住宅構造情報が記録されているデータベースにアクセスする。例えば、ロケーション情報が住所を通じて関連付けられてデータベースに記録されている場合には、住所を入力することで、その住所にリンクされているロケーション情報（隣地が飲食店で比較的明るい、或いは隣地が駐車場で不審者が侵入しやすい等）を読み出すようにしてもよい。
【００４６】
危険度を求める上では、予め取得した図４に示す連関度を参照する。例えば、取得した画像が参照用画像情報Ｐ１２に同一又は類似で、ロケーション情報がロケーションＭである場合、その組み合わせはノード６１ｃが関連付けられており、このノード６１ｃは、危険度３０％が連関度ｗ１７で、また危険度７０％が連関度ｗ１８で関連付けられている。このような連関度の結果、ｗ１７、ｗ１８に基づいて、実際にその新たに画像情報と接近情報とを取得した時点における危険度を求めていくことになる。
【００４７】
図５は、上述した参照用画像情報と、参照用在宅パターン情報との組み合わせと、当該組み合わせに対する危険度との３段階以上の連関度が設定されている例を示している。
【００４８】
入力データとしては、このような参照用画像情報と、参照用在宅パターン情報が並んでいる。このような入力データとしての、参照用画像情報に対して、参照用ロケーション情報が組み合わさったものが、図５に示す中間ノードである。
【００４９】
参照用在宅パターン情報とは、その住宅に居住する居住者の在宅パターンを特定するためのあらゆる情報が含まれる。参照用在宅パターン情報としては、例えば住宅における電力の使用量や玄関や門に設置されたカメラで撮影した居住者の出入りの画像に基づいて、居住者が在宅している時間帯、外出している時間帯をパターン化したものである。月曜日〜日曜日の間で、各曜日の各時間帯毎に、居住者の在宅時間帯、外出時間帯を、上述した電力使用量や画像に基づいてパターン化しておく。このとき、上述した電力使用量や画像を予め機械学習させておき、パターンを判別するようにしてもよい。
【００５０】
判別装置２は、このような図５に示す３段階以上の連関度ｗ１３〜ｗ２２を予め取得しておく。つまり判別装置２は、実際の危険度の判別を行う上で、参照用画像情報と、参照用在宅パターン、並びにその場合の危険度がどの程度であったかのデータを蓄積しておき、これらを分析、解析することで図５に示す連関度を作り上げておく。
【００５１】
図５に示す連関度の例で、ノード６１ｂは、参照用画像情報Ｐ１１に対して、参照用ロケーション情報がロケーションＪの組み合わせのノードであり、危険度６０％の連関度がｗ１５、危険度０％の連関度がｗ１６となっている。
【００５２】
このような連関度が設定されている場合も同様に、画像情報を新たに取得するとともに、在宅パターン情報を取得する。画像情報は参照用画像情報に対応し、在宅パターン情報は、参照用在宅パターン情報に対応する。
【００５３】
在宅パターン情報の取得は、危険度を判別しようとする住宅の在宅パターン情報が記録されているデータベースにアクセスする。例えば、在宅パターン情報が住所を通じて関連付けられてデータベースに記録されている場合には、住所を入力することで、その住所にリンクされている在宅パターン情報（月〜金は、９時〜２１時が外出でそれ以外が在宅、土日は、１０時〜１５時が外出でそれ以外が在宅等）を読み出すようにしてもよい。
【００５４】
危険度を求める上では、予め取得した図５に示す連関度を参照する。例えば、取得した画像が参照用画像情報Ｐ１２に同一又は類似で、在宅パターン情報が在宅パターンＲである場合、その組み合わせはノード６１ｃが関連付けられており、このノード６１ｃは、危険度３０％が連関度ｗ１７で、また危険度７０％が連関度ｗ１８で関連付けられている。このような連関度の結果、ｗ１７、ｗ１８に基づいて、実際にその新たに画像情報と接近情報とを取得した時点における危険度を求めていくことになる。
【００５５】
図６は、上述した参照用画像情報と、参照用画像情報の撮影時点における時間帯を示す参照用時間帯情報との組み合わせと、当該組み合わせに対する危険度との３段階以上の連関度が設定されている例を示している。
【００５６】
入力データとしては、このような参照用画像情報と、参照用時間帯情報が並んでいる。このような入力データとしての、参照用画像情報に対して、参照用時間帯情報が組み合わさったものが、図６に示す中間ノードである。
【００５７】
参照用時間帯情報とは、その参照用画像情報の撮影時点の時間帯を意味するものであり、一時点の時刻のみならず、例えば１０時１０分〜１０時２０分等のように時間の幅を持たせたものであってもよい。
【００５８】
判別装置２は、このような図６に示す３段階以上の連関度ｗ１３〜ｗ２２を予め取得しておく。つまり判別装置２は、実際の危険度の判別を行う上で、参照用画像情報と、参照用在宅パターン、並びにその場合の危険度がどの程度であったかのデータを蓄積しておき、これらを分析、解析することで図６に示す連関度を作り上げておく。
【００５９】
図６に示す連関度の例で、ノード６１ｂは、参照用画像情報Ｐ１１に対して、参照用時間帯情報が時間帯Ｓの組み合わせのノードであり、危険度６０％の連関度がｗ１５、危険度０％の連関度がｗ１６となっている。つまり犯罪が不審者の侵入が少ない時間帯と、多い時間帯がある。特に昼間は不審者の侵入が少なく、夜は逆に多い場合には、各時間帯Ｓ〜Ｖ、・・についてそれぞれ参照用画像情報との関係において危険度を予め分析しておき、中間ノード６１としての連関度において関連付けて記憶しておく。
【００６０】
このような連関度が設定されている場合も同様に、画像情報を新たに取得するとともに、在宅時間帯情報を取得する。画像情報は参照用画像情報に対応し、時間帯情報は、参照用在宅時間帯情報に対応する。
【００６１】
時間帯情報の取得は、危険度を判別しようとする住宅における画像情報の撮影時点の時間帯を抽出する。そして抽出した時間帯情報を参照用時間帯情報と照らし合わせて判別を行う。かかる場合には、参照用時間帯情報が記録されているデータベースにアクセスする。例えば、時間帯情報が９時２０分〜９時３０分（時間帯Ｖ）である場合、同じ参照用時間帯情報の時間帯Ｖ（９時２０分〜９時３０分）を介して危険度を求めていく。
【００６２】
危険度を求める上では、予め取得した図６に示す連関度を参照する。例えば、取得した画像が参照用画像情報Ｐ１２に同一又は類似で、時間帯情報が時間帯Ｖである場合、その組み合わせはノード６１ｃが関連付けられており、このノード６１ｃは、危険度３０％が連関度ｗ１７で、また危険度７０％が連関度ｗ１８で関連付けられている。このような連関度の結果、ｗ１７、ｗ１８に基づいて、実際にその新たに画像情報と接近情報とを取得した時点における危険度を求めていくことになる。
【００６３】
図７は、上述した参照用画像情報と、参照用住宅構造情報に加えて、更に参照用人物情報との組み合わせと、当該組み合わせに対する危険度との３段階以上の連関度が設定されている例を示している。
【００６４】
参照用人物情報とは、参照用画像情報に写し出されている人物を抽出した情報である。人物情報は、顔の特徴（顔の輪郭、目鼻立ち、髪型、眼鏡の有無、皺、傷等）や、顔の特徴から推定した年齢や性別等である。顔の特徴の抽出方法は、ニューラルネットワークを用いるようにしてもよく、かかる場合には、（１）顔部分の画像データからエッジ抽出。（２）顔部分の画像データから肌色の領域を抽出、（３）（１）で生成したエッジ画像から（２）で抽出した肌色領域に対応する領域を抽出、（４）肌色領域に対応するエッジ画像から垂直方向及び水平方向の各々の累積ヒストグラムを算出、（５）輝度が所定の閾値以上になる累積ヒストグラムの画素数をＮＮ（neural network）の入力データとする等、周知の方法を活用するようにしてもよい。また（６）ＮＮにより、入力データと教師データとに基づき、来訪者の年齢及び性別を推定するようにしてもよい。
【００６５】
かかる場合において、連関度は、図７に示すように、参照用画像情報と、参照用住宅構造情報と、参照用人物情報との組み合わせの集合が上述と同様に中間ノードのノード６１ａ〜６１ｅとして表現されることとなる。
【００６６】
例えば、図７において、ノード６１ｃは、参照用画像情報Ｐ１２が連関度ｗ３で、参照用住宅構造情報「構造Ｇ」が連関度ｗ７で、参照用人物情報としての「人物β（例えば、人物情報が良く来訪する隣に住んでいる奥様の場合）」が連関度ｗ１１で連関している。同様にノード６１ｅは、参照用画像情報Ｐ１３が連関度ｗ５で、参照用住宅構造情報「構造Ｇ」が連関度ｗ８で、参照用人物情報としての「人物α（例えば、今まであったことが無い４０代男性）」が連関度ｗ１０で連関している。参照用人物情報において登録されていない場合も、その登録されていないことを一つの参照用人物情報として取り扱うようにしてもよい。
【００６７】
このような連関度が設定されている場合も同様に、新たに取得した画像情報と、住宅構造情報と、人物情報に基づいて、実際にその新たに画像情報を取得した時点における危険度を求める。ここでいう人物情報は、実際に新たに取得した画像情報から参照用人物情報の抽出と同様の手法により画像解析を行い、人物情報を抽出する。
【００６８】
この危険度を求める上で予め取得した図７に示す連関度を参照する。例えば、取得した画像が参照用画像情報Ｐ１２に同一又は類似で、参照用住宅構造情報「構造Ｇ」で、抽出した人物情報が人物βである場合、その組み合わせはノード６１ｃが関連付けられており、このノード６１ｃは、危険度３０％が連関度ｗ１７で、また危険度７０％が連関度ｗ１８で関連付けられている。このような連関度の結果、ｗ１７、ｗ１８に基づいて、実際にその新たに画像情報と接近情報とを取得した時点における危険度を求めていくことになる。
【００６９】
参照用人物情報において登録されていない場合を仮に人物βとし、抽出した人物情報が参照用人物情報において登録されていない者である場合も人物βが入力されたものとみなして解探索を行うこととなる。
【００７０】
なお、参照用画像情報と参照用ロケーション情報との組み合わせ、参照用画像情報と参照用在宅パターン情報との組み合わせ、参照用画像情報と参照用時間情報との組み合わせに対しても、この参照用人物情報との組み合わせを更に含めて連関度を定義するようにしてもよい。また、参照用画像情報と参照用人物情報との組み合わせで連関度を定義するようにしてもよい。
【００７１】
図８は、上述した参照用画像情報と、参照用住宅構造情報に加えて、更に参照用音声情報との組み合わせと、当該組み合わせに対する危険度との３段階以上の連関度が設定されている例を示している。
【００７２】
参照用音声情報とは、参照用画像情報の撮影時（又は撮影時の前後に亘る所定時間）に実際にマイクロフォン等を通じて録音した音声である。音声情報の解析は周知の手段により、或いはＮＮを用いて細かく分析されるものであってもよい。また音声情報を周波数軸で解析したものであってもよい
【００７３】
かかる場合において、連関度は、図８に示すように、参照用画像情報と、参照用住宅構造情報と、参照用音声人物情報との組み合わせの集合が上述と同様に中間ノードのノード６１ａ〜６１ｅとして表現されることとなる。
【００７４】
例えば、図８において、ノード６１ｃは、参照用画像情報Ｐ１２が連関度ｗ３で、参照用住宅構造情報「構造Ｇ」が連関度ｗ７で、参照用音声情報としての「音声Ｘ」が連関度ｗ１１で連関している。
【００７５】
このような連関度が設定されている場合も同様に、新たに取得した画像情報と、住宅構造情報と、音声情報に基づいて、実際にその新たに画像情報を取得した時点における危険度を求める。ここでいう音声情報は、画像情報の撮影時（又は撮影時の前後に亘る所定時間）に実際にマイクロフォン等を通じて録音した音声である。音声情報の解析は周知の手段により、或いはＮＮを用いて細かく分析されるものであってもよい。また音声情報を周波数軸で解析したものであってもよい。
【００７６】
この危険度を求める上で予め取得した図８に示す連関度を参照する。例えば、取得した画像が参照用画像情報Ｐ１２に同一又は類似で、参照用住宅構造情報「構造Ｇ」で、抽出した音声情報が音声Ｘである場合、その組み合わせはノード６１ｃが関連付けられており、このノード６１ｃは、危険度３０％が連関度ｗ１７で、また危険度７０％が連関度ｗ１８で関連付けられている。このような連関度の結果、ｗ１７、ｗ１８に基づいて、実際にその新たに画像情報と接近情報とを取得した時点における危険度を求めていくことになる。
【００７７】
なお、参照用画像情報と参照用ロケーション情報との組み合わせ、参照用画像情報と参照用在宅パターン情報との組み合わせ、参照用画像情報と参照用時間情報との組み合わせに対しても、この参照用音声情報との組み合わせを更に含めて連関度を定義するようにしてもよい。また、参照用画像情報と参照用音声情報との組み合わせで連関度を定義するようにしてもよい。
【００７８】
図８は、上述した参照用画像情報と、参照用住宅構造情報に加えて、更に参照用音声情報との組み合わせと、当該組み合わせに対する危険度との３段階以上の連関度が設定されている例を示している。
【００７９】
参照用音声情報とは、参照用画像情報の撮影時（又は撮影時の前後に亘る所定時間）に実際にマイクロフォン等を通じて録音した音声である。音声情報の解析は周知の手段により、或いはＮＮを用いて細かく分析されるものであってもよい。また音声情報を周波数軸で解析したものであってもよい
【００８０】
かかる場合において、連関度は、図８に示すように、参照用画像情報と、参照用住宅構造情報と、参照用音声人物情報との組み合わせの集合が上述と同様に中間ノードのノード６１ａ〜６１ｅとして表現されることとなる。
【００８１】
例えば、図８において、ノード６１ｃは、参照用画像情報Ｐ１２が連関度ｗ３で、参照用住宅構造情報「構造Ｇ」が連関度ｗ７で、参照用音声情報としての「音声Ｘ」が連関度ｗ１１で連関している。
【００８２】
このような連関度が設定されている場合も同様に、新たに取得した画像情報と、住宅構造情報と、音声情報に基づいて、実際にその新たに画像情報を取得した時点における危険度を求める。ここでいう音声情報は、画像情報の撮影時（又は撮影時の前後に亘る所定時間）に実際にマイクロフォン等を通じて録音した音声である。音声情報の解析は周知の手段により、或いはＮＮを用いて細かく分析されるものであってもよい。また音声情報を周波数軸で解析したものであってもよい。
【００８３】
この危険度を求める上で予め取得した図８に示す連関度を参照する。例えば、取得した画像が参照用画像情報Ｐ１２に同一又は類似で、参照用住宅構造情報「構造Ｇ」で、抽出した音声情報が音声Ｘである場合、その組み合わせはノード６１ｃが関連付けられており、このノード６１ｃは、危険度３０％が連関度ｗ１７で、また危険度７０％が連関度ｗ１８で関連付けられている。このような連関度の結果、ｗ１７、ｗ１８に基づいて、実際にその新たに画像情報と接近情報とを取得した時点における危険度を求めていくことになる。
【００８４】
なお、参照用画像情報と参照用ロケーション情報との組み合わせ、参照用画像情報と参照用在宅パターン情報との組み合わせ、参照用画像情報と参照用時間情報との組み合わせに対しても、この参照用音声情報との組み合わせを更に含めて連関度を定義するようにしてもよい。また、参照用画像情報と参照用音声情報との組み合わせで連関度を定義するようにしてもよい。
【００８５】
図９は、上述した参照用画像情報と、参照用住宅構造情報に加えて、更に参照用警備サービス情報との組み合わせと、当該組み合わせに対する危険度との３段階以上の連関度が設定されている例を示している。
【００８６】
参照用警備サービス情報とは、その住宅が警備会社の警備サービスを契約しているか否か、或いは具体的な契約内容に関する契約状況に関するものである。この契約とは、例えば、ドアが破られたり窓ガラスが破られた場合に、警備会社から警備員が住宅までパトロールに来る等である。
【００８７】
かかる場合において、連関度は、図８に示すように、参照用画像情報と、参照用住宅構造情報と、参照用警備サービス情報との組み合わせの集合が上述と同様に中間ノードのノード６１ａ〜６１ｅとして表現されることとなる。
【００８８】
例えば、図８において、ノード６１ｃは、参照用画像情報Ｐ１２が連関度ｗ３で、参照用住宅構造情報「構造Ｇ」が連関度ｗ７で、参照用警備サービス情報としての「未契約」が連関度ｗ１１で連関している。
【００８９】
このような連関度が設定されている場合も同様に、新たに取得した画像情報と、住宅構造情報と、警備サービス情報に基づいて、実際にその新たに画像情報を取得した時点における危険度を求める。ここでいう警備サービス情報は、その判別対象の住宅が実際に警備会社の警備サービスを契約しているか否か、或いは具体的な契約内容に関する契約状況に関するものである。
【００９０】
この危険度を求める上で予め取得した図９に示す連関度を参照する。例えば、取得した画像が参照用画像情報Ｐ１２に同一又は類似で、参照用住宅構造情報「構造Ｇ」で、抽出した警備サービス情報が「未契約」である場合、その組み合わせはノード６１ｃが関連付けられており、このノード６１ｃは、危険度３０％が連関度ｗ１７で、また危険度７０％が連関度ｗ１８で関連付けられている。このような連関度の結果、ｗ１７、ｗ１８に基づいて、実際にその新たに画像情報と接近情報とを取得した時点における危険度を求めていくことになる。
なお、参照用画像情報と参照用ロケーション情報との組み合わせ、参照用画像情報と参照用在宅パターン情報との組み合わせ、参照用画像情報と参照用時間情報との組み合わせに対しても、この参照用警備サービス情報との組み合わせを更に含めて連関度を定義するようにしてもよい。また、参照用画像情報と参照用警備サービス情報との組み合わせで連関度を定義するようにしてもよい。
【００９１】
上述した構成からなる本発明によれば、住宅における不審者の侵入の危険度の判断を、特段の熟練を要することなく、少ない労力で容易に行うことが可能となる。また本発明によれば、この危険度の判断を、人間が行うよりも高精度に行うことが可能となる。更に、上述した連関度を人工知能（ニューラルネットワーク等）で構成することにより、これを学習させることでその判別精度を更に向上させることが可能となる。
【００９２】
また、本発明によれば、３段階以上に設定されている連関度を介して最適な物性や生成機構の探索を行う点に特徴がある。連関度は、上述した５段階以外に、例えば０〜１００％までの数値で記述することができるが、これに限定されるものではなく３段階以上の数値で記述できるものであればいかなる段階で構成されていてもよい。
【００９３】
このような３段階以上の数値で表される連関度に基づいて最も確からしい危険度を探索することで、危険性が高くなる可能性の候補として複数考えられる状況下において、当該連関度の高い順に探索して表示することも可能となる。このように連関度の高い順にユーザに表示できれば、より確からしい危険度を優先的に表示することも可能となり、危険度が高くなることによる注意を促すこともできる。
【００９４】
そして、この危険度が高い場合には、警備サービス会社や警察に連絡をしたり、その住宅の居住者に注意喚起を即座に促すことで、危険を免れることができる。特により危険度が高い場合には、音声等を通じて住民に注意を喚起したり、外部に音声を発生させて、不審者の侵入意欲をくじくことで安全を守ることができる。また本発明によれば、危険度の検出精度が高いため、むやみに警察を呼ぶことなく、本当に必要なケースのみに絞り警察を呼ぶ動作を行えばよい。
【００９５】
これに加えて、本発明によれば、連関度が１％のような極めて低い出力の判別結果も見逃すことなく判断することができる。連関度が極めて低い出力判別結果であっても僅かな兆候として繋がっているものであり、何十回、何百回に一度は、その判別結果として役に立つ場合もあることをユーザに対して注意喚起することができる。
【００９６】
更に本発明によれば、このような３段階以上の連関度に基づいて探索を行うことにより、閾値の設定の仕方で、探索方針を決めることができるメリットがある。閾値を低くすれば、上述した連関度が１％のものであっても漏れなく拾うことができる反面、より適切な判別結果を好適に検出できる可能性が低く、ノイズを沢山拾ってしまう場合もある。一方、閾値を高くすれば、最適な危険度を高確率で検出できる可能性が高い反面、通常は連関度は低くてスルーされるものの何十回、何百回に一度は出てくる好適な解を見落としてしまう場合もある。いずれに重きを置くかは、ユーザ側、システム側の考え方に基づいて決めることが可能となるが、このような重点を置くポイントを選ぶ自由度を高くすることが可能となる。
【００９７】
更に本発明では、上述した連関度を更新させるようにしてもよい。この更新は、例えばインターネットを始めとした公衆通信網を介して提供された情報を反映させるようにしてもよい。また住宅において撮像したカメラ画像や取得した参照用画像情報、参照用ロケーション情報、参照用在宅パターン情報、参照用時間情報、参照用音声情報、参照用警備サービス情報等に基づいて、入力パラメータと、出力解（危険度）との関係性について新たな知見が発見された場合には、当該知見に応じて連関度を上昇させ、或いは下降させる。
つまり、この更新は、人工知能でいうところの学習に相当する。新たなデータを取得し、これを学習済みデータに反映させることを行っているため、学習行為といえるものである。
また学習済モデルを最初に作り上げる過程、及び上述した更新は、教師あり学習のみならず、教師なし学習、ディープラーニング、強化学習等を用いるようにしてもよい。教師なし学習の場合には、入力データと出力データのデータセットを読み込ませて学習させる代わりに、入力データに相当する情報（参照用画像情報、参照用ロケーション情報、参照用在宅パターン情報、参照用時間情報、参照用音声情報、参照用警備サービス情報等）を読み込ませて学習させ、そこから出力データに関連する連関度を自己形成させるようにしてもよい。
【００９８】
この連関度の更新は、公衆通信網から取得可能な情報に基づく場合以外に、専門家による研究データや論文、学会発表や、新聞記事、書籍等の内容に基づいてシステム側又はユーザ側が人為的に、又は自動的に更新するようにしてもよい。これらの更新処理においては人工知能を活用するようにしてもよい。
【符号の説明】
【００９９】
１  危険度判別システム
２  判別装置
２１  内部バス
２３  表示部
２４  制御部
２５  操作部
２６  通信部
２７  推定部
２８  記憶部
６１  ノード
【図１】
2020129358.tif 000005
【図２】
2020129358.tif 000006
【図３】
2020129358.tif 000007
【図４】
2020129358.tif 000008
【図５】
2020129358.tif 000009
【図６】
2020129358.tif 000010
【図７】
2020129358.tif 000011
【図８】
2020129358.tif 000012
【図９】
2020129358.tif 000013